(57)【特許請求の範囲】
【請求項１】
互いに階段状にずれる進出位置と互いに上下方向に整列する後退位置との間で水平状態のまま移動される複数段の床台と、それらの床台に装着された複数個の椅子とを具える、伸縮式の階段状観覧席において、
前記各床台の前端部付近にてその前端部に平行に延在する水平軸線周りに回動可能に前記各椅子を前記各床台に連結する連結手段が前記各床台に設けられており、
前記連結手段が、前記各椅子を、前記各椅子がその座面が上向きになる使用位置と前記座面が少なくとも垂直よりも下向きになる待機位置との間でその椅子形状を維持したまま回動し得るように前記各床台に連結し、かつ前記各椅子を、前記待機位置で前記各床台の前端部よりも前方に突出して位置させ、
前記複数段の床台が前記後退位置に位置する状態で、互いに異なる前記床台に装着された前記椅子同士が前記待機位置で前記床台の前端部よりも前方に突出して位置して互いに上下方向に整列することを特徴とする、伸縮式階段状観覧席。
【請求項２】
前記各椅子を前記使用位置と前記待機位置との間で少なくとも一方向に回動させる駆動手段が設けられていることを特徴とする、請求項１記載の伸縮式階段状観覧席。
【請求項３】
前記椅子を複数個づつ一体的に結合して具えており、
前記連結手段は、前記一体的に結合した複数個づつの椅子を纏めて前記各床台に連結していることを特徴とする、請求項１または請求項２記載の伸縮式階段状観覧席。
【請求項４】
前記各椅子は、互いに一体的に結合された座部と背部とを有していることを特徴とする、請求項１から請求項３までの何れか記載の伸縮式階段状観覧席。
【請求項５】
前記各椅子は、前記座部と背部とに一体的に結合された肘掛け部を有していることを特徴とする、請求項４記載の伸縮式階段状観覧席。
【発明の詳細な説明】
【０００１】
【発明の属する技術分野】
この発明は、互いに階段状にずれる進出位置と互いに上下方向に整列する後退位置との間で水平状態のまま移動される複数段の床台と、それらの床台に装着された複数個の椅子とを具えて、その観覧席の不使用時にコンパクトに纏め得るようにした、伸縮式の階段状観覧席に関するものである。
【０００２】
【従来の技術】
上述の如き伸縮式の階段状観覧席としては従来、例えば、実開昭61−113867号公報にて開示されたものが知られており、この従来の階段状観覧席においては、各床台の前端部上に各椅子の座部が固定されるとともに、その座部の後端部に各椅子の背部の下端部が回動可能に連結されて、その背部を座部の上に倒して重ねられるようになっている。
【０００３】
【発明が解決しようとする課題】
しかしながら、上記従来の階段状観覧席では、その観覧席の不使用時に、後退位置で上下方向に整列する床台同士の隙間に、各椅子の座部とその上に倒して重ねられた背部とを収容していることから、収容時の椅子の厚さが厚くなるので、通常は設置場所に応じた観覧席仕様によって定められる床台間の段差が少ない場合には、椅子を上下方向に整列させて床台の隙間に収容することができなくなるという問題があった。
【０００４】
しかも上記従来の階段状観覧席では、各椅子の座部が、その座面が上向きのままで各床台に固定されているので、その座面の上に塵埃が溜まりやすく、特に、屋外に設置した場合には、その座面の上に雨水が溜まってしまう場合もあり得るという問題があった。
【０００５】
さらに、上記従来の階段状観覧席では、各椅子の背部が座部に回動可能に連結されているので、各椅子の構造が複雑になってその製造コストが嵩むという問題もあった。
【０００６】
【課題を解決するための手段およびその作用・効果】
この発明は上記課題を有利に解決した伸縮式階段状観覧席を提供することを目的とするものであり、この発明の伸縮式階段状観覧席は、互いに階段状にずれる進出位置と互いに上下方向に整列する後退位置との間で水平状態のまま移動される複数段の床台と、それらの床台に装着された複数個の椅子とを具えるものであって、前記各床台の前端部付近にてその前端部に平行に延在する水平軸線周りに回動可能に前記各椅子を前記各床台に連結する連結手段が前記各床台に設けられており、前記連結手段が、前記各椅子を、前記各椅子がその座面が上向きになる使用位置と前記座面が少なくとも垂直よりも下向きになる待機位置との間でその椅子形状を維持したまま回動し得るように前記各床台に連結し、かつ前記各椅子を、前記待機位置で前記各床台の前端部よりも前方に突出して位置させ、前記複数段の床台が前記後退位置に位置する状態で、互いに異なる前記床台に装着された前記椅子同士が前記待機位置で前記床台の前端部よりも前方に突出して位置して互いに上下方向に整列することを特徴とするものである。
【０００７】
かかる伸縮式階段状観覧席にあっては、その観覧席の使用時には、複数段の床台を、それらが互いに階段状にずれる進出位置に移動させるとともに、前記連結手段により前記各床台に回動可能に連結された前記各椅子を、その座面が上向きになる使用位置に配置することで、階段状観覧席が伸長展開され、またその観覧席の不使用時には、複数段の床台を、それらが互いに上下方向に整列する後退位置に移動させるとともに、前記連結手段により前記各床台に回動可能に連結された前記各椅子を、その座面が少なくとも垂直よりも下向きになる待機位置までその椅子形状を維持したまま回動させて、その待機位置で前記各床台の前端部よりも前方に突出して位置させ、それにより、前記複数段の床台が前記後退位置に位置する状態で、互いに異なる前記床台に装着された前記椅子同士が前記待機位置で前記床台の前端部よりも前方に突出して位置して互いに上下方向に整列して重なることで、複数段の床台とそこに装着された複数個の椅子とがコンパクトに纏まった状態で縮小収容される。
【０００８】
従って、この伸縮式階段状観覧席によれば、観覧席の不使用時には、複数個の椅子が複数段の床台の間でなく、複数段の床台の前方に突出して位置して上下方向に整列して重なるので、床台の段差に実質上かかわりなく収容時の椅子の厚さを設定し得て、設置場所に応じた観覧席仕様によって定められる床台間の段差が少ない場合でも、椅子を上下方向に整列させて収容することができる。
【０００９】
さらに、この伸縮式階段状観覧席によれば、観覧席の不使用時には各椅子を、座面が少なくとも垂直よりも下向きになる待機位置とするので、その座面の上に塵埃が溜まることがなく、特に、屋外に設置した場合でも、その座面の上に雨水が溜まることがない。
【００１０】
しかも、この伸縮式階段状観覧席によれば、各椅子がその椅子形状を維持したままで回動されるので、各椅子の構造を単純にし得てその製造コストを安価にすることができ、また別の用途用に製造されている背部と座部とが一体的に連結された椅子をそこに転用することも可能であって、その場合には階段状観覧席全体としての製造コストをさらに安価にすることができる。
【００１１】
なお、この発明の伸縮式階段状観覧席においては、前記各椅子を前記使用位置と前記待機位置との間で少なくとも一方向に回動させる駆動手段を具えていても良く、その場合には、複数段の床台を互いに階段状にずれる進出位置と互いに上下方向に整列する後退位置との間で水平状態のまま移動させる間に、前記駆動手段によって前記各椅子を前記使用位置と前記待機位置との間で自動的に回動させることができるので、階段状観覧席の伸長展開と縮小収容との少なくとも一方を短時間で容易に行うことができる。
【００１２】
また、この発明の伸縮式階段状観覧席においては、前記椅子を複数個づつ一体的に結合して具えていて、前記連結手段が、前記一体的に結合した複数個づつの椅子を纏めて前記各床台に連結していても良く、その場合には、連結手段を各椅子毎に設ける必要がなくなることから連結手段の数を椅子の個数よりも減らし得て、階段状観覧席全体としての製造コストをさらに安価にすることができる。
【００１３】
さらに、この発明の伸縮式階段状観覧席においては、前記各椅子が座部のみからなるものでも良いが、前記各椅子が、互いに一体的に結合された座部と背部とを有するものであっても良く、その場合には、座部のみの場合よりも椅子の快適性を向上させることができる。
【００１４】
そして、この発明の伸縮式階段状観覧席においては、前記各椅子が、前記座部と背部とに一体的に結合された肘掛け部を有するものであっても良く、その場合には、座部と背部のみの場合よりも椅子の快適性をさらに向上させることができる。
【００１５】
【発明の実施の形態】
以下に、この発明の実施の形態を実施例によって、図面に基づき詳細に説明する。ここに、図１（ａ）は、この発明の伸縮式階段状観覧席の第１実施例を伸長展開した状態で示す断面図、図１（ｂ）は、その第１実施例の伸縮式階段状観覧席を縮小収容した状態で示す断面図、図１（ｃ）は、その第１実施例の伸縮式階段状観覧席の各椅子の回動状態を示す断面図、図２は、その第１実施例の伸縮式階段状観覧席の床台および椅子を床台一段分のみ示す正面図、そして図３は、その第１の実施例の伸縮式階段状観覧席の、各床台が進出位置に位置する一方各椅子が待機位置に位置する中間的状態を示す断面図であり、図中符号１は、当該観覧席が設置されたホール等の施設の床面を示す。
【００１６】
この実施例の伸縮式階段状観覧席は、図１（ａ）に示すように互いに階段状にずれる進出位置と、図１（ｂ）に示すように互いに上下方向に整列する後退位置との間で水平状態のまま床面１上を移動される複数段、図では四段の、各々図の紙面と直交する方向に延在する床台２を具えており、これらの床台２の上記進出位置と後退位置との間での水平移動は、この実施例では、下端部に車輪を持つ図示しない支持脚を各段の床台２の後端部に各段毎に長さと配置とを異ならせて設けるとともに、図示しない電気モーター式床台駆動ユニットでそれらの支持脚を駆動するという既知の構成によって達成している。
【００１７】
またこの実施例の伸縮式階段状観覧席は、図１および図２に示すように、上記複数段の床台２の各々に装着された複数個の椅子３を具えており、この実施例では、各椅子３は、プラスチック材料にて一体成形されることで互いに一体的に結合された座部3aと背部3bとを有している。またこの実施例では、図２に示すように、複数個、図では９個の椅子３を、互いに平行に位置する鋼製の二本の連結管４およびそれらの連結管４に各椅子３を固定するブラケット５によって互いに一体的に連結して、例えば９連の椅子ユニット６を構成するとともに、その椅子ユニット６を各段の床台２に、複数ユニットづつ、床台２の延在方向に並べて装着している。
【００１８】
ここで上記各椅子ユニット６は、図２に示すように、各段の床台２の前端部2aの上面上に一つの椅子ユニット６につき図では四個づつ固設した連結手段としての箱型断面形状のブラケット受け部材７の前端部に設けた支持軸7aにより、床台２の前端部2aよりも若干前方にてその前端部2aに平行な水平方向すなわち図１の紙面と直交する方向に延在する上記支持軸7aの中心軸線周りに回動可能に、その床台２に連結されており、これにより上記各椅子ユニット６ひいてはそこに纏められた上記各椅子３は、図１（ｃ）に実線で示す、その座部3aの座面（上面）が上向きになる使用位置と、図１（ｃ）に一点鎖線で示す、その座部3aの座面が少なくとも垂直よりも下向き、ここでは概略45度の傾斜で斜め下向きになる待機位置との間で、その椅子形状を維持したまま回動されることができる。
【００１９】
そして、この実施例では支持軸7aが床台２の前端部2aよりも若干前方に位置することから、上記待機位置に位置する際には各椅子３は、図１（ｂ），（ｃ）および図３に示すように、その椅子３を支持している床台２の前端部2aよりも前方に突出する。なお、上記ブラケット５の下面には、上記ブラケット受け部材７の上面に当接して上記使用位置を特定する第１ストッパ８が固設されており、また上記ブラケット受け部材７の前端部には、上記椅子３の座部3aの下面に当接して上記待機位置を特定する第２ストッパ９が固設されている。
【００２０】
さらにこの実施例の伸縮式階段状観覧席は、図２に示すように、上記各椅子ユニット６毎に、駆動手段としての、電気モーターの正転および逆転可能な出力回転を歯車式減速機で適宜減速して上記支持軸7aに伝達する電気モーター式椅子駆動ユニット10を一個具えており、図２では椅子駆動ユニット10は、各椅子ユニット６の中央部の下方に配置されて、四個のうちの内側の二個のブラケット受け部材７の支持軸7aに電気モーターの出力回転を駆動軸10a を介して伝達することにより、各椅子ユニット６ひいてはそこに纏められた各椅子３を、上記使用位置と上記待機位置との間で往復回動させることができる。
【００２１】
かかる構成を具えるこの実施例の伸縮式階段状観覧席にあっては、その観覧席の使用時には、図１（ａ）に示すように、複数段の床台２を、それらが互いに階段状にずれる上記進出位置に移動させるとともに、上記ブラケット受け部材７により各床台２に回動可能に連結された各椅子３を、その座面が上向きになる上記使用位置に配置することで、階段状観覧席が伸長展開される。
【００２２】
またその観覧席の不使用時には、図１（ｃ）および図３に示すように、上記ブラケット受け部材７により各床台２に回動可能に連結された各椅子３を、その座面が斜め下向きになる上記待機位置まで、その椅子形状を維持したまま回動させて、その待機位置で各床台２の前端部2aよりも前方に突出して位置させ、次いで図１（ｂ）に示すように、複数段の床台２を、それらが互いに上下方向に整列する上記後退位置に移動させ、それにより上記複数個の椅子３を上記複数段の床台２の前方にて上下方向に整列させることで、複数段の床台２とそこに装着された複数個の椅子３とがコンパクトに纏まった状態で縮小収容される。
【００２３】
そして、この実施例の伸縮式階段状観覧席によれば、観覧席の不使用時には、複数個の椅子３を複数段の床台２の間でなく、複数段の床台２の前方にて上下方向に整列させるので、床台２の段差に実質上かかわりなく収容時の椅子３の厚さを設定し得て、設置場所に応じた観覧席仕様によって定められる床台２間の段差が少ない場合でも、椅子３を上下方向に整列させて収容することができる。
【００２４】
さらに、この実施例の伸縮式階段状観覧席によれば、観覧席の不使用時には各椅子３を、その座部3aの座面が斜め下向きになる待機位置に位置させるので、その座面の上に塵埃が溜まることがなく、特に、屋外に設置した場合でも、その座面の上に雨水が溜まることがない。
【００２５】
しかも、この実施例の伸縮式階段状観覧席によれば、各椅子３がその椅子形状を維持したままで回動されるので、各椅子３の構造を単純にし得てその製造コストを安価にすることができ、また別の用途、例えば駅のベンチ等用に製造されている背部と座部とが一体的に連結された椅子をそこに転用することも可能であって、その場合には階段状観覧席全体としての製造コストをさらに安価にすることができる。
【００２６】
さらに、この実施例の伸縮式階段状観覧席によれば、各椅子３を上記使用位置と上記待機位置との間で往復回動させる椅子駆動ユニット10を具えていることから、複数段の床台２を上記進出位置と上記後退位置との間で水平移動させる間にその椅子駆動ユニット10によって各椅子３を上記使用位置と上記待機位置との間で自動的に回動させることができ、しかも、床台２の上記進出位置と上記後退位置との間での水平移動も床台駆動ユニットで自動的に行うことができるので、階段状観覧席の伸長展開と縮小収容との両方を極めて短時間で容易に行うことができる。
【００２７】
また、この実施例の伸縮式階段状観覧席によれば、椅子３を複数個づつ一体的に結合した椅子ユニット６を具えていて、上記ブラケット受け部材７が、その複数個づつの椅子３を一体的に結合した椅子ユニット６を各床台２に連結していることから、ブラケット受け部材７を各椅子３毎に設ける必要がなくなるので、ブラケット受け部材７の数を椅子３の個数よりも減らし得て、階段状観覧席全体としての製造コストをさらに安価にすることができる。
【００２８】
さらに、この実施例の伸縮式階段状観覧席によれば、各椅子３が、互いに一体的に結合された座部3aと背部3bとを有するものであるので、座部のみの場合よりも椅子の快適性を向上させることができる。
【００２９】
図４（ａ）は、この発明の伸縮式階段状観覧席の第２実施例の各椅子の回動状態を示す断面図、また図４（ｂ）は、その第２実施例の伸縮式階段状観覧席を縮小収容した状態で示す断面図であり、この第２実施例の伸縮式階段状観覧席は、先の第１実施例における、床台２の先端部2aの上面上に固設されたブラケット受け部材７に代えて、床台２の先端部2aの前面に固設されたブラケット受け部材11を具え、その支持軸11a により椅子３を回動可能に支持している。他の構成は先の第１実施例と同様である。なお、図４（ａ）中で、実線は使用位置の椅子３、一点鎖線は待機位置の椅子３をそれぞれ示す。
【００３０】
かかる第２実施例によれば、先の第１実施例と同様の作用効果に加えて、図４（ａ）から明らかなように、上記使用位置で椅子３の下に空間が空くことから、その椅子下の空間を荷物置場や爪先の逃げ場とすることができるという効果をもたらすことができる。
【００３１】
図５（ａ）は、この発明の伸縮式階段状観覧席の第３実施例の各椅子の回動状態を示す断面図、また図５（ｂ）は、その第３実施例の伸縮式階段状観覧席を縮小収容した状態で示す断面図であり、この第３実施例の伸縮式階段状観覧席は、先の第１実施例における、プラスチック材料にて一体成形された座部3aと背部3bを有する椅子３に代えて、同様にして一体成形された座部12a と背部12b を有するとともにそれら座部12a と背部12b の両側部に一体的に結合された例えばアルミニウム合金製の肘掛け部12c をさらに有する椅子12を、複数個具えている。他の構成は先の第１実施例と同様である。なお、図５（ａ）中で、実線は使用位置の椅子12、一点鎖線は待機位置の椅子12をそれぞれ示す。
【００３２】
かかる第３実施例によれば、先の第１実施例と同様の作用効果に加えて、図５（ａ）から明らかなように、椅子の快適性をさらに向上させることができる。
【００３３】
図６は、この発明の伸縮式階段状観覧席の第４実施例の各椅子の回動状態を示す断面図で、この第４実施例では、先の第１実施例における、プラスチック材料にて一体成形された座部3aと背部3bを有する椅子３に代えて、座部のみからなる椅子13を複数個具えており、かかる第４実施例によれば、椅子の製造コストを低く抑えることができる。なお、図６中で、実線は使用位置の椅子13、一点鎖線は待機位置の椅子13をそれぞれ示す。
【００３４】
図７は、この発明の伸縮式階段状観覧席の第５実施例の各椅子の回動状態を示す断面図で、この第５実施例では、先の第１実施例における、プラスチック材料にて一体成形された座部3aと背部3bを有する椅子３に代えて、同様にして一体成形された座部14a と短い背部14b とを有する椅子14を複数個具えており、かかる第５実施例によれば、椅子の製造コストを抑えつつ、椅子の快適性をある程度確保することができる。なお、図７中で、実線は使用位置の椅子14、一点鎖線は待機位置の椅子14をそれぞれ示す。
【００３５】
以上、図示例に基づき説明したが、この発明は上述の例に限定されるものでなく、例えば所要に応じて、椅子の回動をワイヤーやカム等を用いて床台の移動と連動させることで、床台駆動ユニットを、椅子を回動させる前記駆動手段に共用しても良く、また椅子を回動させる前記駆動手段を、スプリング等を用いて椅子を前記待機位置から前記使用位置へ、または前記使用位置から前記待機位置へ一方向のみ回動させるものとし、逆方向への回動は人手で行うようにしても良く、あるいは前記駆動手段を省いて、何れの方向への椅子の回動も人手で行うようにしても良い。そしてこの発明においては、椅子は、上記プラスチック材料の一体成形品に限定されず、布張りで内部にクッションを有するもの等の他の構成のものを用いても良いことはいうまでもなく、また、床台の段数や椅子の個数を所要に応じて変更し得ることももちろんである。
【図面の簡単な説明】
【図１】（ａ）は、この発明の伸縮式階段状観覧席の第１実施例を伸長展開した状態で示す断面図、（ｂ）は、その第１実施例の伸縮式階段状観覧席を縮小収容した状態で示す断面図、そして（ｃ）は、その第１実施例の伸縮式階段状観覧席の各椅子の回動状態を示す断面図である、
【図２】上記第１実施例の伸縮式階段状観覧席の床台および椅子を床台一段分のみ示す正面図である。
【図３】上記第１の実施例の伸縮式階段状観覧席の、各床台が進出位置に位置する一方各椅子が待機位置に位置する中間的状態を示す断面図である。
【図４】（ａ）は、この発明の伸縮式階段状観覧席の第２実施例の各椅子の回動状態を示す断面図、そして（ｂ）は、その第２実施例の伸縮式階段状観覧席を縮小収容した状態で示す断面図である。
【図５】（ａ）は、この発明の伸縮式階段状観覧席の第３実施例の各椅子の回動状態を示す断面図、そして（ｂ）は、その第３実施例の伸縮式階段状観覧席を縮小収容した状態で示す断面図である。
【図６】この発明の伸縮式階段状観覧席の第４実施例の各椅子の回動状態を示す断面図である。
【図７】この発明の伸縮式階段状観覧席の第５実施例の各椅子の回動状態を示す断面図である。
【符号の説明】
１  床面
２  床台
2a  前端部
３  椅子
3a  座部
3b  背部
４  連結管
５  ブラケット
６  椅子ユニット
７  ブラケット受け部材
7a  支持軸
８  第１ストッパ
９  第２ストッパ
10  椅子駆動ユニット
10a 駆動軸
11  ブラケット受け部材
11a 支持軸
12  椅子
12a 座部
12b 背部
12c 肘掛け部
13  椅子
14  椅子
14a 座部
14b 短い背部
【図１】
0003828987.tif 000002
【図２】
0003828987.tif 000003
【図３】
0003828987.tif 000004
【図４】
0003828987.tif 000005
【図５】
0003828987.tif 000006
【図６】
0003828987.tif 000007
【図７】
0003828987.tif 000008